(57)【要約】      （修正有）【課題】軽量且つ簡素化して設置対象屋外建造物屋根への荷重負担を大幅に軽減し、施工工期を大幅短縮し、設置から補修まで格段に経済的なものとする上、秀れた雪庇防止効果を確実に達成できる新たな雪庇落とし技術を提供する。【解決手段】設置対象屋外建造物５軒先６０付近やパラペット付近などに、接合状に固定可能な形状とした固着部位２から、所定荷重を超えると垂下変形し、所定荷重未満になると元の姿勢に復帰可能とした弾性支持部位３を介し、適宜突出長の庇延長部位４を、その天面が適宜姿勢となるよう、設置状態の屋外がわに向け延伸し、屋外建造物屋根上から張り出し、庇延長部位４上に生成する雪庇９や氷柱を、それらの自重によって自動的に落下、除去可能なものとしてなる雪庇落とし装置（資材品）１である。【選択図】図４
2015140628.tif 000002
【特許請求の範囲】
【請求項１】
設置対象屋根外周縁の所望幅範囲に渡り、接合状に固定可能な形状とした固着部位から、所定荷重を超えると垂下変形し、所定荷重未満になると元の姿勢に復帰可能とした弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとしたことを特徴とする雪庇落とし装置。
【請求項２】
設置対象屋外建造物軒先の鼻隠し・破風板付近やパラペット天面付近などの所望幅範囲に渡り、接合状に固定可能な形状とした固着部位から、所定荷重を超えると垂下変形し、所定荷重未満になると元の姿勢に復帰可能とした弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとしたことを特徴とする雪庇落とし装置。
【請求項３】
全体が軟質合成樹脂製か、または、天然ゴム製かの何れか一方からなり、設置対象屋外建造物軒先の鼻隠し・破風板付近やパラペット天面付近などの所望幅範囲に渡り、接合状に固定可能な形状とした固着部位から、所定荷重を超えると垂下変形し、所定荷重未満になると元の姿勢に復帰可能とした、弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとしたことを特徴とする雪庇落とし装置。
【請求項４】
固着部位が、設置対象屋外建造物野地板広小舞直下の鼻隠し表面、および、設置対象屋外建造物野地板木口直下の破風板表面の少なくとも何れか一方に接合可能な鼻隠し接合部と、該鼻隠し接合部の下端から略直角な折曲部を介し、鼻隠し下面から軒天井下面や垂木下面などの軒先端寄り下面、および、破風板下面から軒天井下面や垂木下面などの破風板寄り下面の少なくとも何れか一方に接合可能な軒裏接合部とを一体化してなる、請求項１ないし３何れか一記載の雪庇落とし装置。
【請求項５】
固着部位が、設置対象屋外建造物パラペットの天面に接合可能な天面接合部と、該天面接合部の屋内がわ端から略直角な折曲部を介し、パラペットの天面寄り内側壁に沿って接合可能な内壁接合部とを一体化してなる、請求項１ないし３何れか一記載の雪庇落とし装置。
【請求項６】
固着部位が、設置対象屋外建造物パラペットの天面に接合可能な天面接合部と、該天面接合部の弾性支持部位基端から略直角に下向き延伸し、パラペットの天面寄り外側壁に沿って接合可能な外壁接合部とを一体化してなる、請求項１ないし３何れか一記載の雪庇落とし装置。
【請求項７】
弾性支持部位が、固着部位と庇延長部位との間に横断する切欠き形、溝形などの薄肉部か、または、固着部位および庇延長部位の少なくとも何れか一方とは別素材製の弾性部かの何れか一方からなる応力集中領域とし、庇延長部位に所定荷重を超えると下向きに変形し、所定荷重未満になると元の姿勢に復帰可能なものとしてなる、請求項１ないし６何れか一記載の雪庇落とし装置。
【請求項８】
庇延長部位が、軟質合成樹脂製か、または、天然ゴム製かの何れか一方からなり、基端がわの上下肉厚を大きく、先端がわに向かうほど漸次上下肉厚を小さくするよう設定し、片持ち梁の荷重分布に応じた強度分布を確保してなる、請求項１ないし７何れか一記載の雪庇落とし装置。
【請求項９】
庇延長部位が、その基端下部であって、垂下姿勢となった場合の固着部位および設置対象屋外建造物の少なくとも何れか一方との対峙箇所に、切除形状の緩衝回避部を設けてなる、請求項１ないし８何れか一記載の雪庇落とし装置。
【請求項１０】
庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状のものとしてなる、請求項１ないし９何れか一記載の雪庇落とし装置。
【請求項１１】
庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、両隣接端縁適所夫々に、永久磁石製であって両隣接端縁の何れか一方に配したものはＮ極を幅方向外がわに、両隣接端縁の何れか他方に配したものはＳ極を幅方向外がわに向けた列着用磁石を設け、複数の雪庇落とし装置を互いに隣接するよう配列設置した場合に、復帰姿勢の複数枚の庇延長部位が、隣接する隣接端縁列着用磁石同士が互いに吸引力を及ぼし合い、外観が不揃いとならないよう、自動的に１列状に誘導可能なものとしてなる、請求項１ないし９何れか一記載の雪庇落とし装置。
【請求項１２】
庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、幅方向一方の隣接端縁適所に磁性被吸着部を設け、これとは反対がわとなる幅方向他方の隣接端縁適所に永久磁石製列着用磁石を設け、複数の雪庇落とし装置を互いに隣接するよう配列設置した場合に、復帰姿勢の複数枚の庇延長部位が、隣接する一方の隣接端縁適所の磁性被吸着部に、隣接する他方の隣接端縁適所の列着用磁石が吸引力を及ぼし、外観が不揃いとならないよう、自動的に１列状に誘導可能なものとしてなる、請求項１ないし９何れか一記載の雪庇落とし装置。
【請求項１３】
固着部位から弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとし、設置対象屋根外周縁の所望幅範囲に渡り設置可能な適宜幅寸法に設定するか、設置対象屋根外周縁の所望幅範囲に渡り設置可能な適宜幅寸法に裁断可能な幅寸法に設定するか、または、設置対象屋根外周縁の所望幅範囲に渡り、複数隣接配置可能な幅寸法に設定するかの何れか一とした、請求項１ないし１２何れか一記載の雪庇落とし装置に利用する資材品。                                                        
【発明の詳細な説明】
【技術分野】
【０００１】
この発明は、屋外建造物屋根の軒先やパラペットなどに発生する雪庇や氷柱の発生を防止する技術に関連するものであり、特に、軒先やパラペットに設置することによって自動的に雪庇や氷柱の発生を防止可能とする雪庇落とし装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                        
【背景技術】
【０００２】
（着目点）
建造物の屋根上に降り積もる雪は、冬型の気圧配置によって発生する強風などが風下がわに向けて吹き付け、屋根の軒先やパラペットから更に外がわに張り出して雪庇や氷柱を形成したり、あるいは、屋内暖房によって温められた屋根上の積雪が、屋根勾配によって次第に軒先がわに移動し、夜間の冷え込みによる再凍結を繰り返しながら、次第に軒先から張り出したりし、それが雪塊や氷塊となって大きくなると自重に耐えきれずに落下してしまい、隣家を含む窓の破損や、地上の車両、通行者などに被害を及ぼす虞があり、こうした屋根からの雪庇や氷柱などの落下被害を防止する目的から、例えば、屋根軒先付近への人や自動車などの進入や通行を禁止するなどの対策を講じるようにして地上の安全を確保するよう注意をしていた場合であっても、雪庇自体をそのまま放置してしまうと、スガ漏りや軒先の破損など建築物自体に損害を及ぼす虞があり、屋根軒先の雪庇や氷柱は、適切なタイミングで排除するよう管理するのが肝要である。
【０００３】
しかしながら、雪庇や氷柱の除去や雪降ろしのために屋根上に登った作業者が、積雪諸共地上に落下してしまったり、こうした高所作業の危険を避けて地上から、棒やスコップなどを使って雪庇や氷柱を除去しようとして、落下して来た雪塊や氷塊に巻き込まれてしまったりしてしまう事故は、東北などの多雪地帯で毎年、後を絶たず、安全且つ簡便に軒先やパラペットの雪庇や氷柱を除去したり、雪庇や氷柱の発生を防止する技術は、予てから求め続けられて来ている。
【０００４】
（従来の技術）
こうした実情を反映し、その打開策となるような提案も、これまでに散見されない訳ではない。
例えば、下記の特許文献１（１）や同特許文献１（２）に提案されているものに代表されるように、少なくとも下側に湾曲面を有し、中途部から上端部が厚み方向に弾性変形するよう一体化した装置を、建築物の上縁に取り付け、風と共に吹き付けられる雪を上方に誘導すると共に、湾曲面に貼り付こうとする雪を弾性変形による振れによって振り落とすことができるようにしたものや、雪庇防止装置の上部頂点と揺動材との間に、変位自在の揺動材支持部材と、風圧に同調して変位する弾性変位順応手段を取り付けることによって、揺動材の自動揺動制御が可能となり、風の衝撃を暖和して四方への拡散を防止でき、従来型のものでは積雪量の変化に応じて必要であった雪止板の取り替え作業を解消したもの、また、同特許文献１（３）に見られるような、建築物の笠木の上面に固定する取付台と、この取付台に配した垂直板および水平板を備え、水平板は、その内部に電気的発熱体を備えるとともに、基端の回動軸部を中心として回動可能であって、降雪量に応じて先端を下降回動させる重量バランス部を備え、該垂直板によって、屋根と笠木とを分断して雪庇の形成を防止し、水平板に積もる雪を電気的発熱体によって融かしつつ、降雪量が重量バランス部の重みを超えて増えたときには、水平板を下降回動させて雪氷を建物外に落下させるようにしたものなどが散見される。
【０００５】
しかし、前者特許文献１（１）および１（２）に示されているような雪庇防止装置類は、風圧の変動を利用して着雪を阻止しようとするものであり、強風が吹き付けるときには有効に機能するものの、風が止んでしまうと着雪を招く虞があり、また、後者特許文献１（３）に代表するもののように、垂直板および水平板を備え、電気的発熱体を追加したものにあっては、消雪に電力を要することとなって、その保守点検・整備作業により高度な技術を要する上、電力消費などランニングコストが嵩んで経済的負担が大きく、また、基端に重量バランス部を設けて水平状に軸支した水平板によるものにあっては、装置重量が増し、建築物屋根への荷重負担が大きくなるという致命的な課題をのこすものとなっていた。                                                                                                      
【特許文献１】（１）特開２００４−３６０３２３号公報    （２）特開２００７−５６６５７号公報    （３）特開２０１１−１７７８号公報
【発明の概要】
【発明が解決しようとする課題】
【０００６】
（問題意識）
上述したとおり、従前までに提案のある各種雪庇防止装置などに散見されるようなものでは、例えば風雪を受けて振動することによって雪の付着を自動的に防止するものにあっては、冬期以外にも強風や台風などを受けた場合に強く振動し、建築部屋根に断続的外力を伝えたり、騒音を発したりする虞があるものとなり、また、重量バランスを利用した水平板を有するものなどは、錘部分が振動を減衰するものとなり得るが、装置全体重量を増大させてしまって構造を複雑化、大型化してしまうなど、設置に要する経費が嵩み、利用者の経済的負担が大きくなってしまうものとなるなどという多くのしまって問題が未解決のままとなっているため、永年に亘って、冬になると大型化して硬く氷塊化して落下する虞と、それによって被る被害とを心配しながら、危険を冒して屋根上に登って除雪作業を行ったり、地上から雪庇を落下させたりする作業を行ってきた人々や、多大な経済的負担を懸念して雪庇防止装置の設置に迷っていた人々などに対し、本願出願人は、より経済的に提供可能であり、しかも従来品の欠点を解決するようにした新たな雪庇防止技術開発の必要性を痛感するに至ったものである。
【０００７】
（発明の目的）
そこで、この発明は、軽量且つ簡素化して設置対象屋外建造物屋根への荷重負担を大幅軽減し、施工工期を大幅に短縮し、設置から補修まで格段に経済的なものとする上、秀れた雪庇防止効果を確実に達成できる新たな雪庇落とし技術の開発はできないものかとの判断から、逸速くその開発、研究に着手し、長期に渡る試行錯誤と幾多の試作、実験とを繰り返してきた結果、今回、遂に新規な構造の雪庇落とし装置、およびそれに利用する新規な構造の資材品を実現化することに成功したものであり、以下では、図面に示すこの発明を代表する実施例と共に、その構成を詳述することとする。                                                                
【課題を解決するための手段】
【０００８】
（発明の構成）
図面に示すこの発明を代表する実施例からも明確に理解されるように、この発明の雪庇落とし装置は、基本的に次のような構成から成り立っている。
即ち、設置対象屋根外周縁の所望幅範囲に渡り、接合状に固定可能な形状とした固着部位から、所定荷重を超えると垂下変形し、所定荷重未満になると元の姿勢に復帰可能とした弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとした構成を要旨とする雪庇落とし装置である。
【０００９】
この基本的な構成からなる雪庇落とし装置は、その表現を変えて示すならば、設置対象屋外建造物軒先の鼻隠し・破風板付近やパラペット天面付近などの所望幅範囲に渡り、接合状に固定可能な形状とした固着部位から、所定荷重を超えると垂下変形し、所定荷重未満になると元の姿勢に復帰可能とした弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとした構成からなる雪庇落とし装置となる。
【００１０】
より具体的には、全体が軟質合成樹脂製か、または、天然ゴム製かの何れか一方からなり、設置対象屋外建造物軒先の鼻隠し・破風板付近やパラペット天面付近などの所望幅範囲に渡り、接合状に固定可能な形状とした固着部位から、所定荷重を超えると垂下変形し、所定荷重未満になると元の姿勢に復帰可能とした、弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとした構成からなる雪庇落とし装置となる。
【００１１】
（関連する発明１）
上記した雪庇落とし装置に関連し、この発明には、それに利用する資材品も包含している。
即ち、固着部位から弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとし、設置対象屋根外周縁の所望幅範囲に渡り設置可能な適宜幅寸法に設定するか、設置対象屋根外周縁の所望幅範囲に渡り設置可能な適宜幅寸法に裁断可能な幅寸法に設定するか、または、設置対象屋根外周縁の所望幅範囲に渡り、複数隣接配置可能な幅寸法に設定するかの何れか一とした、この発明の基本をなす前記雪庇落とし装置に利用する資材品である。                                                    
【発明の効果】
【００１２】
以上のとおり、この発明の雪庇落とし装置によれば、従前までのものとは違い、上記したとおりの固有の特徴ある構成から、新築の建造物は勿論のこと既存建造物の屋根にも、特別な取付け金具類を要さず、固着部位を介して短時間の中に簡便に設置することができ、しかも弾性支持部位が庇延長部位を支持するか、または、庇延長部位それ自体が弾性支持部位の機能を担うという格段に簡潔な構造によって大幅な軽量化を達成し、設置対象の屋根に及ぼす荷重負担を格段に軽減することができる上、特別な操作や電子的制御などを行わずとも、屋根外周縁に発生する雪庇が大きく生長する前に自動的に排雪し、雪庇落下による事故や被害を未然に防止し、危険性を伴う人手による雪庇除去作業を不要とし、高齢者や女性など除雪作業を委託に頼らざるを得ない人々の経済的負担を大幅に軽減することができるという秀れた特徴が得られるものである。
【００１３】
加えて、固着部位形状を、設置対象屋外建造物軒先の鼻隠し・破風板付近やパラペット天面付近などに直接的に接合するよう位置決めし、簡便に固定可能なものとすることにより、施工作業を単純化し、格段に容易で正確な取付けを実現化し、確実に施工ミスを防止し、工期を大幅短縮することができ、さらに、雪庇落とし装置の全体が、軟質合成樹脂製か、または、天然ゴム製かの何れか一方からなるものとすることによって、大幅な軽量化と低廉化とを達成し、荷重を柔軟に分散可能として変形や破損を解消し、格段に経済的に設置、利用およびメンテナンスすることができるものになるという大きな効果を発揮するものとなる。
【００１４】
そして、固着部位が、鼻隠し接合部、折曲部および軒裏接合部からなるものは、鼻隠し接合部を設置対象屋外建造物野地板広小舞直下の鼻隠し表面、および、設置対象屋外建造物野地板木口直下の破風板表面の少なくとも何れか一方に接合し、鼻隠し接合部を鼻隠し下面から軒天井下面や垂木下面などの軒先端寄り下面、および、破風板下面から軒天井下面や垂木下面などの破風板寄り下面の少なくとも何れか一方に接合すると共に、折曲部を鼻隠し下端角、および、破風板下端角に係合するよう組み合わせ設置することにより、切妻造り屋根などの軒先や妻に、正確且つ簡単に位置決め固定することができるから、設置工数を大幅削減できる上、結合面積を拡大して固定強度を高め、耐久性を大幅に向上させることができる。
【００１５】
固着部位が、天面接合部、折曲部および内壁接合部からなるものは、天面接合部を設置対象屋外建造物パラペットの天面に接合し、内壁接合部をパラペットの天面寄り内側壁に沿って接合すると共に、折曲部をパラペットの天面内角に係合するよう組み合わせ設置することにより、無落雪型屋根などのパラペットに、正確且つ簡単に位置決め固定することができるから、設置工数を大幅削減できる上、固定強度を高めて耐久性を大幅に向上させることができ、また、固着部位が、設置対象屋外建造物パラペットの天面に接合可能な天面接合部と、該天面接合部の弾性支持部位基端から略直角に下向き延伸し、パラペットの天面寄り外側壁に沿って接合可能な外壁接合部とを一体化してなるものは、庇延長部位および弾性支持部位に加わる荷重を、外壁接合部のパラペット外側壁への押圧力に変換して伝達するから、より高い支持強度を確保可能なものとすることができる。
【００１６】
弾性支持部位が、固着部位と庇延長部位との間に横断する切欠き形、溝形などの薄肉部か、または、固着部位および庇延長部位の少なくとも何れか一方とは別素材製の弾性部かの何れか一方からなる応力集中領域としたものは、応力の集中を受けて弾性変形するから、複雑な弾性可撓機構などを不要とし、構造の簡素化と軽量化とによって製造コストを削減し、より耐久性に秀れ、経済的に設置、利用可能なものとすることができる。
【００１７】
庇延長部位が、軟質合成樹脂製か、または、天然ゴム製かの何れか一方からなり、基端がわの上下肉厚を大きく、先端がわに向かうほど漸次上下肉厚を小さくするよう設定し、片持ち梁の荷重分布に応じた強度分布を確保してなるものは、庇延長部位の先端がわを薄形化し、軽量化すると共に、下向きに変形し、元の姿勢に復帰するときの振動を大幅に低減化して、固着部位および弾性支持部位への荷重・振動負担を軽減し、耐久強度を高めることができる上、設置対象屋外建造物への荷重・振動負担を格段に改善し、より静粛且つ軽快な自動的排雪を実現化することができるという秀れた効果を奏するものとなる。
【００１８】
庇延長部位が、その基端下部であって、垂下姿勢となった場合の固着部位および設置対象屋外建造物の少なくとも何れか一方との対峙箇所に、切除形状の緩衝回避部を設けてなるものは、庇延長部位の先端から基端付近までの下部肉厚を充分に確保し、必要強度を確保することができると共に、排雪に必要な下向き変形姿勢を許容可能なものとし、充分な耐久性と、排雪性能とを確保するものになるという効果を奏する。
【００１９】
庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状としたものは、個々の庇延長部位毎に、個別に排雪動作するものとなり、雪庇を屋外建造物屋根周縁に沿って一体化してしまうのを未然に防ぎ、細かく分断化して落下・排雪し、一段と安全性を高めたものとすることができる。
【００２０】
さらに、庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、両隣接端縁適所夫々に、永久磁石製であって両隣接端縁の何れか一方に配したものはＮ極を幅方向外がわに、両隣接端縁の何れか他方に配したものはＳ極を幅方向外がわに向けた列着用磁石を設けたものは、複数の雪庇落とし装置を互いに隣接するよう配列設置した場合に、復帰姿勢の複数枚の庇延長部位が、隣接する隣接端縁列着用磁石同士が互いに吸引力を及ぼし合い自動的に１列状に誘導するものとなるから、各庇延長部位の外観が、不揃いにならず、長期間に渡り、秀れた外的美観を維持することができ、高い耐久性を達成するものになる。
【００２１】
また、庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、幅方向一方の隣接端縁適所に磁性被吸着部を設け、これとは反対がわとなる幅方向他方の隣接端縁適所に永久磁石製列着用磁石を設けたものとすることにより、複数の雪庇落とし装置を互いに隣接するよう配列設置した場合に、復帰姿勢の複数枚の庇延長部位が、隣接する一方の隣接端縁適所の磁性被吸着部に、隣接する他方の隣接端縁適所の列着用磁石が吸引力を及ぼし、外観が不揃いとならないよう、自動的に１列状に誘導可能なものとし、秀れた外的美観を長期間に渡って維持することができる。
【００２２】
そして、この発明の資材品によれば、設置対象屋根外周縁の所望幅範囲に渡り設置可能な適宜幅寸法に設定したものは、そのまま設置対象屋根の外周縁に設置することができ、設置対象屋根外周縁の所望幅範囲に渡り設置可能な適宜幅寸法に裁断可能な幅寸法に設定したものは、設置対象屋根の外周縁所望幅範囲に合わせて適宜裁断し、効率的に取り付けることが可能となり、また、設置対象屋根外周縁の所望幅範囲に渡り、複数隣接配置可能な幅寸法に設定してなるものは、そのまま設置対象屋根の外周縁に沿って隣接するよう設置することができるから、この発明の雪庇落とし装置を容易且つ正確に設置可能とし、施工時間を大幅短縮して設置作業効率を格段に高めたものとすることができる。                                            
【発明を実施するための最良の形態】
【００２３】
上記したとおりの構成からなるこの発明の実施に際し、その最良もしくは望ましい形態について説明を加えることにする。
固着部位は、設置対象となる屋外建造物屋根などの外側周縁適所に、当該雪庇落とし装置を充分な強度で固着可能とする機能を担い、設置対象屋外建造物軒先の鼻隠し・破風板付近やパラペット天面付近などの所望幅範囲に渡り、接合状に固定可能な形状とし、弾性支持部位および庇延長部位を充分な耐久性をもって支持可能なものとしなければならず、ネジやボルト、釘、接着剤、両面テープなどの結合部品類や結合剤類などを用いて設置対象箇所に強固に結合可能なものとすべきであり、合成樹脂製、複合材製、天然ゴム製、木製、金属製、それらの組合せなどからなるものとすることが可能であり、後述する実施例に示すように、設置対象屋外建造物野地板広小舞直下の鼻隠し表面、および、設置対象屋外建造物野地板木口直下の破風板表面の少なくとも何れか一方に接合可能な鼻隠し接合部と、該鼻隠し接合部の下端から略直角な折曲部を介し、鼻隠し下面から軒天井下面や垂木下面などの軒先端寄り下面、および、破風板下面から軒天井下面や垂木下面などの破風板寄り下面の少なくとも何れか一方に接合可能な軒裏接合部とを一体化してなるものとすることができる外、設置対象屋外建造物パラペットの天面に接合可能な天面接合部と、該天面接合部の屋内がわ端から略直角な折曲部を介し、パラペットの天面寄り内側壁に沿って接合可能な内壁接合部とを一体化してなるもの、または、設置対象屋外建造物パラペットの天面に接合可能な天面接合部と、該天面接合部の弾性支持部位基端から略直角に下向き延伸し、パラペットの天面寄り外側壁に沿って接合可能な外壁接合部とを一体化してなるものとすることができる。
【００２４】
設置対象屋外建造物は、住宅や商業用施設、工場、事務所などの建築物の外、橋や高架橋、陸橋、塔、塀、防波堤など、雪庇や氷柱などが発生する可能性能ある人工物の外、自然地形に人工的に手を加えた場所などとすることが可能であり、車両や船舶その他の移動可能な人工物などとすることが可能である。
【００２５】
固着部位の鼻隠し接合部は、設置対象屋外建造物の屋根軒先の鼻隠し表面や、破風板表面などに接合・固定可能とする機能を担い、設置対象屋外建造物野地板広小舞直下の鼻隠し表面、および、設置対象屋外建造物野木口直下の破風板表面の少なくとも何れか一方に接合可能な形状のものとしなければならず、後述する実施例に示すように、平板形状とし、厚み方向にネジやボルト、釘などを貫通可能な素材製か、または、取付け部品貫通用の取付け孔を複数適所に点在するよう穿設したものなどとすることができる外、接合面に両面テープや接着剤、粘着剤、シール剤などを適宜介在可能な接合面形状のものとするのが望ましい。
【００２６】
固着部位の折曲部は、鼻隠し接合部と軒裏接合部とを充分な強度をもって一体化するものとなるか、または、天面接合部と内壁接合部とを充分な強度をもって一体化するものとなるかの何れか一方の機能を担い、固着部位自体を充分な耐久性を持って一体化するものとしなければならず、鼻隠し接合部と軒裏接合部、または、天面接合部と内壁接合部とを互いに所定の角度姿勢に結合したものとするのが望ましい。
【００２７】
固着部位の軒裏接合部は、設置対象屋外建造物の屋根軒先の鼻隠しの下がわや、軒天井下がわ、垂木下がわ、破風板の下がわなどに結合可能であって、折曲部および鼻隠し接合部と一体化し、当該雪庇落とし装置を支持可能となる機能を担い、鼻隠し下面から軒天井下面や垂木下面などの軒先端寄り下面、および、破風板下面から軒天井下面や垂木下面などの破風板寄り下面の少なくとも何れか一方に接合可能な形状のものとしなければならず、後述する実施例に示すように、平板形状とし、厚み方向にネジやボルト、釘などを貫通可能な素材製か、または、取付け部品貫通用の取付け孔を複数適所に点在するよう穿設したものなどとすることができる外、接合面に両面テープや接着剤、粘着剤、シール剤などを適宜介在可能な接合面形状のものとするのが望ましい。
【００２８】
固着部位の天面接合部は、当該雪庇落とし装置を設置対象屋外建造物の屋根パラペットの天面に接合・固定可能とする機能を担い、パラペットの天面に充分な面積をもって接合し、安定的に固定可能な形状のものとしなければならず、後述する実施例に示すように、平板形状とし、厚み方向にネジやボルト、釘などを貫通可能な素材製か、または、取付け部品貫通用の取付け孔を複数適所に点在するよう穿設したものなどとすることができる外、接合面に両面テープや接着剤、粘着剤、シール剤などを適宜介在可能な接合面形状のものとするのが望ましい。
【００２９】
固着部位の内壁接合部は、パラペットの天面寄り内側壁に沿って接合・固定可能となり、弾性支持部位および庇延長部位を支持可能とする機能を担い、天面接合部に対して折曲部を介して一体化したものとしなければならず、後述する実施例に示すように、平板形状とし、厚み方向にネジやボルト、釘などを貫通可能な素材製か、または、取付け部品貫通用の取付け孔を複数適所に点在するよう穿設したものなどとすることができる外、接合面に両面テープや接着剤、粘着剤、シール剤などを適宜介在可能な接合面形状のものとするのが望ましい。
【００３０】
固着部位の外壁接合部は、パラペットの天面寄り外側壁に沿って接合・固定可能となり、弾性支持部位および庇延長部位を支持可能とする機能を担い、天面接合部の弾性支持部位基端から略直角に下向き延伸したものとしなければならず、後述する実施例に示すように、平板形状とし、厚み方向にネジやボルト、釘などを貫通可能な素材製か、または、取付け部品貫通用の取付け孔を複数適所に点在するよう穿設したものなどとすることができる外、接合面に両面テープや接着剤、粘着剤、シール剤などを適宜介在可能な接合面形状のものとするのが望ましい。
【００３１】
弾性支持部位は、固着部位に対して庇延長部位を所望の姿勢角度に弾性をもって一体化し、庇延長部位に加わる荷重が、所定荷重を超えると垂下変形し、所定荷重未満になると元の姿勢に復帰可能とするよう支持する機能を担い、庇状姿勢に片持ち梁状に支持した庇延長部位上に、所定量以上の雪や氷の付着などが生じると、その荷重を受けて、自動的に垂下変形し、雪や氷が落下すると、自動的に元の姿勢に復帰可能とする弾性力を有するものとしなければならず、弾性を有する軟質合成樹脂製、各種素材製のバネ、永久磁石の吸着力や反発力を利用したもの、または、それらの組合せからなるものなどとすることができ、後述する実施例に示すように、雪庇落とし装置の全体を、弾発力のある合成樹脂製または天然ゴム製のものとすることができ、その場合には、弾性支持部位の機能を、固着部位や庇延長部位の一部または全部が兼ねるものとすることができる。
【００３２】
弾性支持部位は、さらに、後述する実施例に示すように、固着部位と庇延長部位との間に横断する切欠き形、溝形などの薄肉部か、または、固着部位および庇延長部位の少なくとも何れか一方とは別素材製の弾性部かの何れか一方からなる応力集中領域とし、庇延長部位に所定荷重を超えると下向きに変形し、所定荷重未満になると元の姿勢に復帰可能なものとすることができる。
【００３３】
庇延長部位は、設置対象屋外建造物軒先や、破風板またはパラペットなどの外周縁から、さらに外側に張り出すよう延伸し、弾性支持部位による弾性支持力で支持可能な所定荷重の雪や氷の付着などに耐えて姿勢維持する機能を担い、弾性支持部位に一体化し、所定荷重を超えると垂下姿勢に変形し、所定荷重未満になると元の姿勢に復帰可能であって、こうした動作を長期間に渡って繰り返しても破損しない程度に充分な耐久強度を有するものとしなければならず、全体か、少なくとも天面かの何れか一方の摩擦係数を低く設定したものとするのが望ましく、板状、パンチングプレート状、網状などの形状とすることができる外、後述する実施例に示すように、軟質合成樹脂製か、または、天然ゴム製かの何れか一方からなり、基端がわの上下肉厚を大きく、先端がわに向かうほど漸次上下肉厚を小さくするよう設定し、片持ち梁の荷重分布に応じた強度分布を確保してなるものや、基端下部であって、垂下姿勢となった場合の固着部位および設置対象屋外建造物の少なくとも何れか一方との対峙箇所に、切除形状の緩衝回避部を設けてなるものなどとすることができ、さらに、後述する実施例には示さないが、裏面に骨格状の補強枠部を設けたものなどとすることができる。
【００３４】
また、庇延長部位は、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状のものとすることができ、後述する実施例に示すように、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、両隣接端縁適所夫々に、永久磁石製であって両隣接端縁の何れか一方に配したものはＮ極を幅方向外がわに、両隣接端縁の何れか他方に配したものはＳ極を幅方向外がわに向けた列着用磁石を設け、複数の雪庇落とし装置を互いに隣接するよう配列設置した場合に、復帰姿勢の複数枚の庇延長部位が、隣接する隣接端縁列着用磁石同士が互いに吸引力を及ぼし合い、外観が不揃いとならないよう、自動的に１列状に誘導可能なものとするのが望ましい。
【００３５】
さらにまた、庇延長部位が、設置対象屋根外周縁の所望幅範囲に渡り、複数隣接配置可能な幅寸法に設定し、固着部位および弾性支持部位の幅寸法を庇延長部位の幅寸法以下に設定し、隣接する庇延長部位の隣接端縁を、互いの隣接端縁同士間に隙間を生じないよう、当接状配置可能な形状とした上、幅方向一方の隣接端縁適所に磁性被吸着部を設け、これとは反対がわとなる幅方向他方の隣接端縁適所に永久磁石製列着用磁石を設け、複数の雪庇落とし装置を互いに隣接するよう配列設置した場合に、復帰姿勢の複数枚の庇延長部位が、隣接する一方の隣接端縁適所の磁性被吸着部に、隣接する他方の隣接端縁適所の列着用磁石が吸引力を及ぼし、外観が不揃いとならないよう、自動的に１列状に誘導可能なものとすることが可能である。
【００３６】
庇延長部位隣接端縁は、設置対象屋根外周縁、例えば桁行方向または梁間方向などに沿って複数個配列状に設置可能とした雪庇落とし装置の、隣接配置となるもの同士の間に隙間を生ずることなく、密に接合可能となり、隙間に雪庇や氷柱などが発生しないようにする機能を担い、互いに一枚状に連なるよう配置可能な縁形状のものとしなければならず、互いに平行な直線状、互いに噛合状に接合可能な波線状、または、鋸刃線状などとするのが望ましい。
【００３７】
庇延長部位列着用磁石は、隣接する庇延長部位隣接端縁同士を、復帰姿勢の場合に、各庇延長部位先端が互いに１列状に揃うよう自動的に誘導可能とする機能を担い、後述する実施例に示すように、両隣接端縁適所夫々に、永久磁石製であって両隣接端縁の何れか一方に配したものはＮ極を幅方向外がわに、両隣接端縁の何れか他方に配したものはＳ極を幅方向外がわに向けた列着用磁石を設け、複数の雪庇落とし装置を互いに隣接するよう配列設置した場合に、復帰姿勢の複数枚の庇延長部位が、隣接する隣接端縁列着用磁石同士が互いに吸引力を及ぼし合い、外観が不揃いとならないよう、自動的に１列状に誘導可能なものとするのが良い。
【００３８】
庇延長部位磁性被吸着部は、それ自体は磁石ではないが、列着用磁石の吸着対象となる機能を担い、鉄や鋼、およびその合金や複合素材などの磁性素材製のものとしなければならず、ブロック状のものを庇延長部位隣接端縁適所に埋設・一体化したものとすることができる外、粉末状や粒子状の磁性素材を混合した合成樹脂素材や天然ゴムなどによって庇延長部位隣接端縁を成型したもの等とすることが可能である。
【００３９】
この発明の雪庇落とし装置に利用する資材品は、そのままの形状のままか、または、簡単な加工を加えるかの何れか一方によって雪庇落とし装置の施工を可能とする機能をもち、固着部位から弾性支持部位を介するか、または、同弾性支持部位の機能を兼ね備えたものとするか、あるいはまたそれらの組合せによるものとするかの何れか一とした適宜突出長の庇延長部位を、その天面が水平姿勢、および、屋根勾配に略平行状姿勢の何れか一方とするよう、設置状態の屋外がわに向け延伸してなるものとし、設置対象屋根外周縁の所望幅範囲に渡り設置可能な適宜幅寸法に設定するか、設置対象屋根外周縁の所望幅範囲に渡り設置可能な適宜幅寸法に裁断可能な幅寸法に設定するか、または、設置対象屋根外周縁の所望幅範囲に渡り、複数隣接配置可能な幅寸法に設定するかの何れか一としなければならず、裁断箇所を薄肉化したり、ミシン孔を施したりするなどして脆弱化したものとすることが可能であり、後述する実施例に示すように、その全体が軟質シリコーン樹脂製の一体成型品とすることができる外、後述のような軟質または硬質の合成樹脂や、永久磁石、磁性金属、その他、弾性金属など様々な素材製のもの、または、それらの組合せ、あるいは、合成樹脂にガラス繊維や炭素繊維などを加えた複合素材製などとすることが可能である。
【００４０】
各部の素材として使用可能な軟質または硬質の合成樹脂は、例えば、ポリ塩化ビニル、ポリエチレン、ポリプロピレン、ポリスチレン、アクリロニトリル・ブタジエン・スチレン、アクリロニトリル・スチレン、ポリメチルメタアクリル、ポリビニールアルコール、ポリ塩化ビニリデン、ポリエチレンテレフタレート、ポリアミド、ポリアセタール、ポリカーボネート、ポリフェニレンエーテル、ポリブチレンテレフタレート、超高分子量ポリエチレン、ポリフッ化ビニリデン、ポリサルフォン、ポリエーテルサルフォーン、ポリフェニレンサルファイド、ポリアリレート、ポリアミドイミド、ポリエーテルイミド、ポリエーテルエーテルケトン、ポリイミド、液晶ポリマー、ポリテトラフルオロエチレン、フェノール樹脂、ユリア樹脂、メラミン樹脂、不飽和ポリエステル、エポキシ樹脂、ポリウレタン樹脂、シリコーン樹脂などとすることが可能であり、永久磁石は、例えば、バリウムフェライト磁石、ストロンチウムフェライト磁石、アルニコ磁石、サマリウムコバルト磁石、ネオジウム磁石、フェライトゴム磁石、ネオジウム磁石、フェライトプラスチック磁石、ネオジウムプラスチック磁石などとすることができ、軟質合成樹脂製とした庇延長部位の隣接端縁付近の一部、または、全体をゴム磁石やプラスチック磁石製のものとし、また、磁性被吸着部は、防錆に秀れた磁性金属製のものとすることができる外、防錆に秀れた磁性金属の粉末などを合成樹脂に混合して成型したものとすることができる。
以下では、図面に示すこの発明を代表する実施例と共に、その構造について詳述することとする。                                                                                                            
【図面の簡単な説明】
【００４１】
図面は、この発明の雪庇落とし装置の技術的思想を具現化した代表的な幾つかの実施例を示すものである。
【図１】雪庇落とし装置（資材品）を断面化して示す側面図である。
【図２】雪庇落とし装置を示す正面図である。
【図３】雪庇落とし装置の設置状態を断面化して示す側面図である。
【図４】雪庇落とし装置の積雪状態を断面化して示す側面図である。
【図５】雪庇落とし装置の動作を断面化して示す側面図である。
【図６】既存の屋外建造物軒先に生成した雪庇を断面化して示す側面図である。
【図７】雪庇落とし装置（資材品）の他の実施例を断面化して示す側面図である。
【図８】雪庇落とし装置の他の実施例を示す平面図である。
【図９】屋根外周縁に設置した他の実施例の雪庇落とし装置を示す平面図である。
【図１０】設置状態の雪庇落とし装置を拡大して示す平面図である。
【図１１】水平設置した雪庇落とし装置を断面化して示す側面図である。
【図１２】傾斜設置した雪庇落とし装置を断面化して示す側面図である。
【図１３】パラペット用雪庇落とし装置（資材品）を断面化して示す側面図である。
【図１４】パラペット用雪庇落とし装置の動作を断面化して示す側面図である。
【図１５】パラペット用雪庇落とし装置による排雪を断面化して示す側面図である。
【図１６】屋外建造物無落雪型屋根のパラペットに生成した雪庇を断面化して示す側面図である。
【図１７】屋外建造物無落雪型屋根のパラペットを断面化して示す側面図である。
【図１８】さらに他の実施例のパラペット用雪庇落とし装置（資材品）を断面化して示す側面図である。
【図１９】パラペット用雪庇落とし装置を示す平面図である。
【図２０】パラペット用雪庇落とし装置の設置状態を断面化して示す側面図である。
【実施例１】
【００４２】
図１ないし図６に示す事例は、設置対象屋外建造物５軒先６０付近やパラペット８付近などに、接合状に固定可能な形状とした固着部位２から、所定荷重を超えると垂下変形し、所定荷重未満になると元の姿勢に復帰可能とした弾性支持部位３を介し、適宜突出長の庇延長部位４を、その天面４０が適宜姿勢となるよう、設置状態の屋外がわに向け延伸してなるものとした、この発明の雪庇落とし装置における代表的な一実施例を示すものである。
【００４３】
それら各図からも明確に把握できるとおり、この発明の雪庇落とし装置（資材品）１は、その全体が軟質シリコーン樹脂製の一体成型品であり、固着部位２は、設置対象屋外建造物５としての切妻造家屋５軒先６０鼻隠し７の桁行方向の所望幅範囲に渡り、野地板６１広小舞６２直下の鼻隠し７表面に接合可能な平板形鼻隠し接合部２０と、該鼻隠し接合部２０の下端から略直角に曲がる折曲部２１を介し、鼻隠し７下面から軒天井６３下面や垂木下面（図示せず）などの軒先６０先端寄り下面に接合可能な軒裏接合部２２とを一体化してなるものである。
【００４４】
該固着部位２は、略同一形状のものを、その表現を変えて示すならば、設置対象屋外建造物５としての切妻造家屋５、破風板（図示せず）の梁間方向の所望幅範囲に渡り、野地板６１木口直下の破風板（図示せず）表面に接合可能な平板形鼻隠し接合部２０と、該鼻隠し接合部２０の下端から略直角に曲がる折曲部２１を介し、破風板（図示せず）下面から軒天井６３下面や垂木下面（図示せず）などの破風板（図示せず）寄り下面に接合可能な軒裏接合部２２を一体化してなるものであるということができる。
【００４５】
図１および図２に示すように、弾性支持部位３は、固着部位２と庇延長部位４との間に横断する上下反転Ｖ字状切欠き形の薄肉部３１からなる応力集中領域３０とし、庇延長部位４が、その天面４０を設置状態にて野地板６１と平行となる平面状とし、基端がわの上下肉厚を大きく、先端がわに向かうほど漸次上下肉厚を小さくするよう設定し、片持ち梁の荷重分布に応じた強度分布を確保すると共に、その基端下部であって、垂下姿勢となった場合の固着部位２との対峙箇所に、切除形状の緩衝回避部４１を設けたものとし、庇延長部位４の各寸法は、例えば、厚さ（Ｔ１）８０ｍｍ、長さ（Ｌ１）２５０ｍｍ、幅（Ｗ１）１８２０ｍｍとすることができる。
【００４６】
（実施例１の作用・効果）
以上のとおりの構成からなるこの発明の雪庇落とし装置１は、図３ないし図５に示すように、その固着部位２の鼻隠し接合部２０、折曲部２１、軒裏接合部２２の固着面全幅に渡り、両面テープ２５を介在し、該鼻隠し接合部２０を、設置対象屋外建造物５としての切妻造家屋５トタン葺きなどの金属板葺きの屋根６軒先６０野地板６１広小舞６２直下の鼻隠し７表面に貼着し、折曲部２１が、同鼻隠し７下端外角に一致し、軒裏接合部２２を、同鼻隠し７下端面から、軒天井６３下面や垂木下面（図示せず）などの軒先端寄り下面に貼着した上、鼻隠し接合部２０および軒裏接合部２２を、全幅方向に沿って適宜間隔置き毎に点在するよう、複数本のネジ６４，６４，……を貫通・螺着し、庇延長部位４天面４０が、野地板６１に略平行な姿勢となるよう、当該軒先６０に一体化するよう防水状態に固着したものとすることができる。
【００４７】
図３に二点鎖線矢印で示すように、雪庇落とし装置１弾性支持部位３は、庇延長部位４に所定以上の下向き荷重が加わると、緩衝回避部４１が許容する角度範囲内にて下向き傾斜状に垂下するよう弾性変形し、所定荷重未満になると、自動的に元の姿勢に復帰可能となり、図４および図５に示すように、雪庇落とし装置１庇延長部位４上に、屋外建造物５屋根６上の積雪が軒先６０に滑り移動したり、崩れたりした雪塊９や、庇延長部位４上に降り積もった雪塊９、氷柱、氷塊（何れも図示せず）などの重量が、弾性支持部位３の支持力を上回ったときに下向き傾斜状に垂下して自動的に排雪、排氷し、元の姿勢に復帰する。
【００４８】
当該雪庇落とし装置（資材品）１は、その全体が軟質シリコーン樹脂製の一体成型品であるから、弾性支持部位３のみならず、庇延長部位４自体も、雪庇９の荷重を受けて撓み、除雪効果を一段と高めたものとし、弾性支持部位３にのみ大荷重が加わるのを防止し、撓み量を軽減して耐久強度を格段に高めたものとすることができる。                                                
【実施例２】
【００４９】
図７ないし図１２に示す事例は、庇延長部位４が、設置対象屋根６外周縁の所望幅範囲に渡り、複数隣接配置可能な幅寸法に設定し、固着部位２および弾性支持部位３の幅寸法を庇延長部位４の幅寸法以下に設定し、隣接する庇延長部位４，４の隣接端縁４２，４２を、互いの隣接端縁４２，４２同士間に隙間を生じないよう、当接状配置可能な形状のものとした、この発明の雪庇落とし装置における代表的な他の一実施例を示すものである。
【００５０】
図７ないし図１０に示すように、雪庇落とし装置（資材品）１は、全体が軟質シリコーン樹脂製の一体成型品であり、固着部位２が、野地板６１広小舞６２直下の桁行方向所望幅範囲に渡り、鼻隠し７表面に接合可能な平板形鼻隠し接合部２０からなり、該鼻隠し接合部２０上端より、設置した場合に軒先６０の外がわに向かうよう、直角に折曲した弾性支持部位３を介し、適宜突出長の矩形平板状の庇延長部位４を、その天面４０が水平姿勢、および、屋根勾配に略平行状姿勢の何れか一方とするよう、設置状態の屋外がわに向け延伸してなるものである。
【００５１】
同図７ないし図１０に示すように、庇延長部位４は、厚さ（Ｔ１）２０ｍｍ、長さ（Ｌ１）２５０ｍｍ、幅（Ｗ１）６００ｍｍとし、固着部位２としての鼻隠し接合部２０は、厚さ（Ｔ２）２０ｍｍ、長さ（Ｌ２）８０ｍｍ、幅（Ｗ１）６００ｍｍに設定し、庇延長部位４の左右隣接端縁４２，４２の先端角寄りの箇所には、夫々左右互いに異なるＮ・Ｓ磁極を左右方向（桁行方向）の外がわに向けるよう、列着用磁石４３，４３を埋設・一体化し、弾性支持部位３および庇延長部位４の弾性的耐荷重を１ｋｇ前後に設定したものである。
【００５２】
（実施例２の作用・効果）
この発明の雪庇落とし装置１は、同図７ないし図１２に示すように、設置対象屋外建造物５の冬期季節風（図９中の二点鎖線矢印に示す）の風下がわとなる軒先６０鼻隠し７の桁行方向に沿って、複数枚が、互いの庇延長部位４，４，……隣接端縁４２，４２，……同士を密に隣接するよう配列・設置することが可能であり、鼻隠し７に接合した各鼻隠し接合部２０，２０，……は、桁行方向に適宜間隔置き毎に点在するよう、両面テープ２５を挟み込み状に貼着すると共に、複数本のネジ６４，６４，……を貫通・螺着して防水状態に固着する。
【００５３】
図１１に示すように、垂直な鼻隠し７に取り付けた場合には、庇延長部位４天面４０が水平姿勢となり、図１２に示すように、傾斜した野地板６１に対して直角な鼻隠し７に取り付けた場合には、庇延長部位４天面４０が、野地板６１に平行な傾斜姿勢となるよう設置し、各庇延長部位４，４，……天面４０，４０，……上の雪庇や着雪、および氷柱などの合計重量が１ｋｇを超えると、その加重に耐えきれなくなり、先端がわを下向きに傾斜するよう弾性的に姿勢変化し、摩擦力を失った雪庇や着雪、および氷柱（何れも図示せず）などが自動的に落下・排除することとなり、それらを排除した庇延長部位４は、弾性支持部位３および庇延長部位４の弾性力によって、庇延長部位４を元の姿勢に自動的に復帰するものとなる。
【００５４】
さらに、図９および図１０に示すように、１列に隣接するよう設置した雪庇落とし装置１，１の各庇延長部位４，４は、互いに隣接する隣接端縁４２，４２の先端がわに埋設してある列着用磁石４３，４３が、Ｎ極とＳ極とを対峙する配置関係となっているから、図１１または図１２に示す復帰姿勢にあるときは、互いに引き合い、外観が不揃いにならないよう１列に姿勢統一・維持するものとなる。                                                                          
【実施例３】
【００５５】
図１３ないし図１７に示す事例は、設置対象となる無落雪型屋根６を有する屋外建造物５パラペット８天面８０の所望幅範囲に渡り、接合状に固定可能な形状とした固着部位２から、所定荷重を超えると垂下変形し、所定荷重未満になると元の姿勢に復帰可能とした弾性支持部位３を介し、適宜突出長の庇延長部位４を、その天面４０が水平姿勢となるよう、設置状態の屋外がわに向け延伸してなる、この発明の雪庇落とし装置１における代表的な他の実施例を示すものである。
【００５６】
該雪庇落とし装置（資材品）１は、全体が軟質シリコーン樹脂製の一体成型品であり、固着部位２が、設置対象屋外建造物５パラペット８の天面８０に接合可能な平板状の天面接合部２３と、該天面接合部２３の屋内がわ端から略直角な折曲部２１を介し、パラペット８の天面８０寄りとなる内側壁８１に沿って接合可能な平板状の内壁接合部２４とを一体化してなるものとし、弾性支持部位３および庇延長部位４を前述した実施例１のものと同じ形状としたものである。
【００５７】
（実施例３の作用・効果）
この発明の雪庇落とし装置１は、図１４ないし図１７に示すように、その全幅に渡り、固着部位２天面接合部２３下面を、設置対象の屋外建造物５無落雪型屋根６のパラペット８天面８０上に接合し、折曲部２１を同パラペット８天面８０上内側角に接合し、内壁接合部２４を同パラペット８天面８０寄りとなる内側壁８１に沿って接合するよう組合せ搭載した上、天面接合部２３および内壁接合部２４を、全幅に方向に沿って適宜間隔置き毎に点在するよう、複数本のネジ６４，６４，……を貫通するよう螺着し、庇延長部位４天面４０が、パラペット８天面８０に略平行な姿勢となるよう、当該パラペット８上に一体化するよう固着したものとすることができる。
【００５８】
図１４の二点鎖線矢印に示すように、無落雪型屋根６ながらも、パラペット８天面８０上の積雪からが張り出したり、崩れたりした雪庇９や、庇延長部位４上に降り積もった雪塊９、氷柱、氷塊（何れも図示せず）などの重量が、弾性支持部位３の支持力を上回ったときに下向き傾斜状に垂下して自動的に排雪、排氷し、元の姿勢に復帰する。
【００５９】
前記実施例１のものと同様に、当該雪庇落とし装置（資材品）１は、その全体が軟質シリコーン樹脂製の一体成型品であるから、庇延長部位４自体も、雪庇９の荷重を受けて撓み、除雪効果を一段と高めたものとし、弾性支持部位３にのみ大荷重が加わるのを防止し、撓み量を軽減して耐久強度を格段に高めたものとすることができる。                                                    
【実施例４】
【００６０】
図１８ないし図２０に示す事例は、全体を軟質シリコーン樹脂製の一体成型品とした雪庇落とし装置１であり、固着部位２が、設置対象の屋外建造物５無落雪型屋根６のパラペット８天面８０上に、接合可能な天面接合部２３と、該天面接合部２３先端がわであって弾性支持部位３を兼ねる庇延長部位４基端から略直角に下向き延伸し、パラペットの天面寄り外側壁に沿って接合可能な平板状の外壁接合部２５とを一体化し、同図１８および図１９に示すように、庇延長部位４（弾性支持部位３）は、厚さ（Ｔ１）２０ｍｍ、長さ（Ｌ１）２５０ｍｍ、幅（Ｗ１）６００ｍｍとし、固着部位２としての天面接合部２３および外壁接合部２５は、厚さ（Ｔ２）２０ｍｍ、幅（Ｗ１）６００ｍｍとし、天面接合部２３の長さは、パラペット８天面８０の奥行き寸法に合わせて設定し、必要に応じて裁断して寸法調節することが可能であり、外壁接合部２５の長さ（Ｌ２）を８０ｍｍに設定し、さらに、図９、図１０および図１８ないし図２０に示すように、庇延長部位４の左右隣接端縁４２，４２の先端角寄りの箇所には、夫々左右互いに異なるＮ・Ｓ磁極を左右方向（桁行方向）の外がわに向けるよう、列着用磁石４３，４３を埋設・一体化し、庇延長部位４（弾性支持部位３）の弾性的耐荷重を１ｋｇ前後に設定したものである。
【００６１】
また、図１８ないし図２０に示すように、庇延長部位４の幅方向一方の隣接端縁４２先端角寄り箇所に磁性金属ブロックからなる磁性被吸着部４４を埋設・一体化し、これとは反対がわとなる幅方向他方の隣接端縁４２先端角寄り適所に永久磁石製列着用磁石４３を埋設・一体したものとすることが可能である。
【００６２】
（実施例４の作用・効果）
この発明の雪庇落とし装置１は図９、図１０、図１８ないし図２０に示すように、固着部位２天面接合部２３を設置対象のパラペット８天面８０上接合し、外壁接合部２５を外側壁８２に接合し、夫々を複数本のネジ６４，６４，……で結合・固着して設置することが可能であり、パラペット８天面８０に沿って複数個を１列に配し、各々独立状に設置した各雪庇落とし装置１，１，……は、前記実施例２と同様に、各庇延長部位４，４，……天面４０，４０，……上の雪庇（図示せず）が、各々１ｋｇを超えると、個別・弾性的に垂下変形して自動的に雪庇を落下・排除し、元の姿勢に自動的に弾性復帰するものとなり、復帰姿勢の各庇延長部位４，４，……は、隣接する庇延長部位４，４の対峙隣接端縁４２，４２の列着用磁石４３，４３同士が互いに吸引し合い、先端が不揃いになるのを防止するものとなる。
【００６３】
そして、庇延長部位４幅方向一方の隣接端縁４２箇所に磁性被吸着部４４を設け、幅方向他方の隣接端縁４２適所に永久磁石製列着用磁石４３を設けた物の場合にも、前述と同様に、各庇延長部位４，４，……の先端が不揃いになるのを防止することができ、さらに、列着用磁石４３，４３，……を軒先６０やパラペット８に沿って複数配置することにより、野鳥の忌避効果を期待することができる。
【００６４】
（結  び）
叙述の如く、この発明の雪庇落とし装置、およびそれに利用する資材品は、その新規な構成によって所期の目的を遍く達成可能とするものであり、しかも製造も容易で、従前からの雪庇落とし技術に比較して、装置構造を大幅に簡素化・軽量化および低廉化して遥かに経済的なものとすることができる上、設置作業性を大幅に改善し得るものとなることから、従前までは設置工数が嵩み、設置後の建造物への荷重負担が大きく、電力の供給や維持・管理経費も必要となるなど、設置者や利用者への経済的負担が大きく、こうした負担を大幅に軽減できる新技術へのニーズがあっても、それを解決する手立てを持たず、新たな市場の開拓を断念せざるを得なかった建築業界および除雪設備業界はもとより、より経済的且つ安全に雪庇の発生を防止する技術の提供を希望する一般家庭や、建築物管理業界においても高く評価され、広範に渡って利用、普及していくものになると予想される。                                                                      
【符号の説明】
【００６５】
１      雪庇落とし装置（資材品）
２      固着部位
２０    同  鼻隠し接合部
２１    同  折曲部
２２    同  軒裏接合部
２３    同  天面接合部
２４    同  内壁接合部
２５    同  外壁接合部
３      弾性支持部位
３０    同  応力集中領域
３１    同  薄肉部
４      庇延長部位
４０    同  天面
４１    同  緩衝回避部
４２    同  隣接端縁
４３    同  列着用磁石
５      屋外建造物
６      屋根
６０    同  軒先
６１    同  野地板
６２    同  広小舞
６３    同  軒天井
６４    同  ネジ
７      鼻隠し
８      パラペット
８０    同  天面
８１    同  内側壁
８２    同  外側壁
９      雪庇                                                                                              
【図１】
2015140628.tif 000003
【図２】
2015140628.tif 000004
【図３】
2015140628.tif 000005
【図４】
2015140628.tif 000006
【図５】
2015140628.tif 000007
【図６】
2015140628.tif 000008
【図７】
2015140628.tif 000009
【図８】
2015140628.tif 000010
【図９】
2015140628.tif 000011
【図１０】
2015140628.tif 000012
【図１１】
2015140628.tif 000013
【図１２】
2015140628.tif 000014
【図１３】
2015140628.tif 000015
【図１４】
2015140628.tif 000016
【図１５】
2015140628.tif 000017
【図１６】
2015140628.tif 000018
【図１７】
2015140628.tif 000019
【図１８】
2015140628.tif 000020
【図１９】
2015140628.tif 000021
【図２０】
2015140628.tif 000022